(57)【要約】      （修正有）【課題】簡単な構造で安価に製作が可能でありながら、ガスバーナーによる燃焼ガスの容器底下面から容器胴側方への熱逃げと炎逃げを著しく低減して容器内液体の対流むらによる加熱調理むらを防止すると共に熱効率を高く維持し、しかも手入れも極めて簡単で、耐久性に優れ長期間使用を有利に可能にした加熱調理容器を提供する。【解決手段】加熱調理容器としてのフライパンＦＰは、浅底の円形フライパン本体１００の側部に取り柄１０１を装着し、容器底下面の全周囲に沿って均等高さのリング状のスカート１０２を設けてある。スカート１０２により、ガスバーナーによる燃焼ガスのフライパンＦＰ底下面からフライパン胴側方への熱逃げと炎逃げを著しく低減すると共に、フライパンＦＰ底下面の全面を均一に加熱すると同時に、スカート１０２自体を加熱し、スカート１０２自体からの熱伝導にてフライパンＦＰ胴下端周面を均一に加熱することが可能となる。【選択図】図１
0003212945.tif 000002
【実用新案登録請求の範囲】
【請求項１】
容器底下面周囲に沿って均等高さの筒状又は末広がりのラッパ状のスカートを設けたことを特徴とする加熱調理容器。
【考案の詳細な説明】
【技術分野】
【０００１】    本考案は、熱効率を極めて高くした、業務用又は一般家庭用等で使用する煮炊き用の鍋、フライパン等の加熱調理容器に関する。
【背景技術】
【０００２】  従来、業務用又は一般家庭用等で使用する煮炊き用の鍋、フライパン等の加熱調理容器は、一般に、容器底の中央部又は周囲がガスバーナーにより集中的に加熱され、容器内の蒸気や液体の対流むらにより食材が加熱調理むら、容器底内面での焦げ付きを生じる。
一方、ガスバーナーによる燃焼ガスの多くは、容器底下面からの容器胴側方への熱逃げと炎逃げにより、著しい熱効率の低下を来たす。
そこで、加熱調理容器の熱効率を高めるための対策として、特許文献１から特許文献４にて各種の改善が紹介されている。【０００３】  特許文献１（特開平７−２９６９６２号公報）には、アルミニウムで作製された鍋の底部に、アルミニウムとフェライト系ステンレス鋼とからなるクラッド材側のアルミニウムを熱間固相接合させた調理器用鍋が紹介されている。【０００４】  特許文献２（特開平８−２７３８１９号公報）には、底部に磁性金属を埋設した調理器用鍋が紹介されている。【０００５】  特許文献３（特開平１１−１１３７５５号公報）には、加熱ガスを鍋内に導き入れるガス通孔群を一様な密度で配設し、そのガス通孔の出口を鍋内にし、鍋内に入った加熱ガスを食材８間の間隙を通して上昇させて食材を直接加熱する加熱調理鍋が紹介されている。【０００６】  特許文献４（特開２０００−５０４９号公報）には、鍋本体と鍋本体を覆う外壁で二重構造にした空洞を設け、鍋本体を覆う外壁底部に鍋全ての号数に装着とガスコンロに十字に組み合わせ安定させる為にコンロ組み込みボコ部を設け、鍋本体上部に噴きこぼれ防止に受け口を深くした鍋蓋受を設け、鍋本体を覆う外壁底部にガスバーナーの火力を最大に取り込む大きな口径の通気孔を設け、鍋本体を覆う外壁上部に冷えた空気を外部に逃がす小さな口径の通気孔を設けた加熱調理鍋が紹介されている。
【先行技術文献】
【特許文献】
【０００７】
【特許文献１】特開平７−２９６９６２号公報
【特許文献２】特開平８−２７３８１９号公報
【特許文献３】特開平１１−３７５５号公報
【特許文献４】特開２０００−５０４９号公報
【考案の概要】
【考案が解決しようとする課題】
【０００８】  前記紹介の公知例はいずれも構造が複雑であり、製作費が高く、手入れが煩雑で劣化が早いなどの問題がある。
本考案は、簡単な構造で安価に製作が可能でありながら、ガスバーナーによる燃焼ガスの容器底下面から容器胴側方への熱逃げと炎逃げを著しく低減して容器内液体の対流むらによる加熱調理むらを防止すると共に熱効率を高く維持し、しかも手入れも極めて簡単で、耐久性に優れ長期間使用を有利に可能にした加熱調理容器を提供する。
【課題を解決するための手段】
【０００９】  本考案は前記の課題を全て満足するものであり、その特徴とするところは次の（１）の通りである。【００１０】  （１）、容器底下面周囲に沿って均等高さの筒状又は末広がりのラッパ状のスカートを設けたことを特徴とする加熱調理容器。
【考案の効果】
【００１１】  本考案の加熱調理容器は、前記の如く「容器底下面周囲に沿って均等高さのリング状のスカートを設ける」のみの簡単な構造で安価に製作が可能でありながら、該スカートにより、ガスバーナーによる燃焼ガスの容器底下面から容器胴側方への熱逃げと炎逃げを著しく低減すると共に、容器底下面の全面を均一に加熱すると同時に、スカート自体を加熱し、スカート自体からの熱伝導にて容器胴下端周面を均一に加熱することが可能となる為、熱効率を極めて高く維持すると共に、容器内液体や蒸気の対流を活性的に均等に促進して、容器内食材の加熱調理むらを防止して効率的な調理を可能にすると共に、手入れも極めて簡単で、しかも耐久性に優れ長期間使用を有利に可能にしたものである。
【図面の簡単な説明】
【００１２】
【図１】本考案の実施例の図２に示すフライパンの縦断面図である。
【図２】図１に示すフライパンを示す下方から見た底面図である。
【図３】フライパンへのスカートを取り外し可能に取り付る一例を示す部分拡大説明図である。
【図４】フライパンのスカートで他の例を示す縦断面図である。
【考案を実施するための形態】
【００１３】  本考案を実施するための形態を、図１〜図３に示す実施例により詳細に説明する。
【実施例】
【００１４】  図１と図２において、加熱調理容器としてのフライパンＦＰは、浅底の円形フライパン本体１００の側部に取り柄１０１を装着し、容器底下面の全周囲に沿って均等高さのリング状のスカート１０２を設けてある。【００１５】前記スカート１０２により、ガスバーナーによる燃焼ガスのフライパンＦＰ底下面からフライパン胴側方への熱逃げと炎逃げを著しく低減すると共に、フライパンＦＰ底下面の全面を均一に加熱すると同時に、スカート１０２自体を加熱し、スカート１０２自体からの熱伝導にてフライパンＦＰ胴下端周面を均一に加熱することが可能となり、熱効率を極めて高く維持する。
そしてフライパンＦＰ内の食材の加熱調理むらを防止して効率的な調理を可能にする。またスカート１０２と共にフライパンＦＰの手入れも極めて簡単で、しかも耐久性に優れ長期間使用を有利に可能にした等の優れた作用効果を享受することができた。【００１６】  スカート１０２は、加熱調理容器の容量や深さ等及びガスバーナの燃焼ガス吐出容量等に応じて例えば１〜１０ｃｍ程度の高さにして、該燃焼ガスの容器底下面から容器胴側方への熱逃げと炎逃げを防止する。
叉、スカート１０２は、本例のように筒状でフライパンＦＰの底部に一体的に突出形成する。また別の例としてフライパンＦＰの底部に着脱交換可能に設ける。【００１７】フライパンＦＰの底部に着脱交換可能に設ける場合の一例は、図３に示すように、フライパンＦＰの底部周囲１０５に所定の角度間隔で雄の係合継手１０３を形成し、スカートの上端周囲に同じ所定の角度間隔で雌の係合継手１０４を形成し雄の係合継手１０３を雌の係合継手１０４に矢印Ｙのように嵌入接続すればよい。【００１８】  更に、スカートは、本例のように筒状に、或いは図４に示すように末広がりにしたラッパ状に形成のスカート１２０にすることにより、該燃焼ガスの容器底下面から容器胴側方への熱逃げと炎逃げをより効率的に防止するようにしてもよい。【００１９】  本実施例では加熱調理容器としてフライパンを例にしたが、本例に限らずその他蒸し鍋、煮込み鍋、炊飯釜、湯沸し器等々、多種多様な加熱調理容器に本考案を適用することができる。
【考案の産業上の利用】
【００２０】  本考案の加熱調理容器は、前述した優れた作用効果を呈するため、一般家庭、調理容器類等の製造販売使用産業界に、顕著に貢献すること多大なものがある。
【符号の説明】
【００１７】ＦＰ：調理容器例のフライパン
１００：浅底の円形フライパン本体
１０１：取り柄
１０２：スカート
１０３：雄の係合継手
１０４：雌の係合継手
１０５：フライパンの底周縁部
【図１】
0003212945.tif 000003
【図２】
0003212945.tif 000004
【図３】
0003212945.tif 000005
【図４】
0003212945.tif 000006